(57)【要約】      （修正有）【課題】カード等で代表される種々の記録媒体に記録した情報の漏洩回避の実効性を高める。【解決手段】シャッタ１２２は、装置内に引き込まれてカード挿入孔１０６を開放する挿入孔開放姿勢から、シャッタ先端をカード搬送経路より下側のシャッタストッパに当接させてカード挿入孔１０６を閉鎖する挿入孔閉鎖姿勢に推移移動する。シャッタ１２２は、この推移移動により前面パネル１０２に対する相対的な位置関係を変更し、カード挿入孔１０６の周囲における前面パネル１０２の前方領域Ｘに入り込む。カードの磁気ストライプ情報を不正に読み込む異物Ｓが仮に装着されたと仮定すると、この前方領域Ｘにシャッタ１２２が入り込む際に、シャッタ１２２は異物Ｓと干渉する。こうしたシャッタ１２２の移動推移を随時行うことで、異物装着の阻害を図る。【選択図】図９
2008191916.tif 000002
【特許請求の範囲】
【請求項１】
情報を記録した記録媒体の挿入を受け付け、前記記録媒体の前記情報を読み取る正規の情報読み取り機器に前記記録媒体を搬送する記録媒体受付装置であって、
前記記録媒体が挿入される挿入孔が形成された挿入孔形成壁と、
該挿入孔形成壁に対する相対的な位置関係を変更するよう駆動する位置偏位駆動体と、
該位置偏位駆動体を駆動制御する制御手段とを備え、
前記位置偏位駆動体は、前記制御手段による制御を受けて前記位置関係を変更し、前記挿入孔への前記記録媒体の挿入側の領域であって前記挿入孔の周囲における前記挿入孔形成壁の前方領域への入り込みを起こす
記録媒体受付装置。
【請求項２】
請求項１に記載の記録媒体受付装置であって、
前記位置偏位駆動体は、前記前方領域への入り込みにより、
異物の装着が予想される前記挿入孔形成壁の前面の装着予想箇所の形状変化を起こす、若しくは前記異物との干渉を起こす
記録媒体受付装置。
【請求項３】
請求項２に記載の記録媒体受付装置であって、
前記異物は、前記記録媒体の記録を前記挿入孔への前記記録媒体の挿入の過程において読み取ることを意図した非正規の情報読み取り機器である
記録媒体受付装置。
【請求項４】
請求項１ないし請求項３いずれかに記載の記録媒体受付装置であって、
前記位置偏位駆動体の前記位置関係の変更の動作状況を検知し、前記位置関係の変更の動作が正常に完了しない場合は、前記正規の情報読み取り機器への前記記録媒体の搬送を停止する搬送停止手段を備える
記録媒体受付装置。
【請求項５】
請求項１ないし請求項４いずれかに記載の記録媒体受付装置であって、
前記挿入孔形成壁の前面に立つユーザーの有無を検出するユーザー検出手段を備え、
前記制御手段は、前記ユーザー検出手段によるユーザー検出があると、前記挿入孔への前記記録媒体の挿入開始が予想されるとして前記駆位置偏位駆動体を駆動制御する
記録媒体受付装置。
【請求項６】
請求項５に記載の記録媒体受付装置であって、
前記制御手段は、前記ユーザー検出器によるユーザー検出がない間にあっても予め定めたタイミングで前記位置偏位駆動体を繰り返し駆動制御する
記録媒体受付装置。
【請求項７】
請求項５または請求項６に記載の記録媒体受付装置であって、
前記挿入孔から挿入された前記記録媒体を噛み込んで回転し、該噛み込んだ記録媒体を前記正規の情報読み取り機器の側に搬送する搬送ローラを備え、
前記位置変位駆動体は、前記挿入孔への前記記録媒体の挿入を阻害する第１姿勢から前記挿入孔を露呈させる第２姿勢に推移するよう移動するシャッタとされ、
該シャッタが前記第２姿勢にあるときにおける前記シャッタの前面から前記搬送ローラにおける前記記録媒体の噛み込み位置までの距離は、ユーザーが前記記録媒体を媒体上下方向から指で摘んで前記記録媒体を前記挿入孔に挿入する際の摘み代に相当する長さを前記記録媒体における挿入方向に沿った媒体長さから控えた距離とされている
記録媒体受付装置。
【請求項８】
請求項７に記載の記録媒体受付装置であって、
前記摘み代は最大で前記媒体長さの１／４と規定され、前記シャッタは、前記噛み込み位置からシャッタ前面までの距離が前記媒体長さ以下で前記媒体長さの３／４以上となるよう設置されている
記録媒体受付装置。
【請求項９】
請求項７または請求項８に記載の記録媒体受付装置であって、
前記挿入孔に前記記録媒体が挿入されてから前記搬送ローラが前記記録媒体の搬送のために該記録媒体を噛み込むまでの経過時間を計時する時間計測手段と、
該時間計測手段の計時した経過時間が、前記記録媒体が想定の挿入早さで前記挿入口から挿入されて前記搬送ローラに噛み込まれるまでの経過時間より長いと、前記搬送ローラの駆動を停止すると共に、挿入異常の旨を報知する報知手段とを備える
記録媒体受付装置。
【請求項１０】
情報を記録した記録媒体の前記情報を読み取る正規の情報読み取り機器に前記記録媒体を挿入孔から搬送する記録媒体搬送方法であって、
前記挿入孔が形成された挿入孔形成壁に対する相対的な位置関係を変更するよう駆動する位置偏位駆動体を、前記挿入孔への前記記録媒体の挿入に先だって駆動し、
前記位置偏位駆動体の前記位置関係の変更により、前記位置偏位駆動体を、前記挿入孔への前記記録媒体の挿入側の領域であって前記挿入孔の周囲における前記挿入孔形成壁の前方領域に入り込ませ、該前方領域への前記位置偏位駆動体の入り込みにより、前記記録媒体の記録を前記挿入孔への前記記録媒体の挿入の過程において読み取ることを意図した非正規の情報読み取り機器の装着が予想される前記挿入孔形成壁の前面の装着予想箇所の形状変化を起こす、若しくは前記非正規の情報読み取り機器との干渉を起こす
記録媒体搬送方法。
【発明の詳細な説明】
【技術分野】
【０００１】
本発明は、情報を記録した記録媒体の挿入を受け付け、前記記録媒体の前記情報を読み取る正規の情報読み取り機器に前記記録媒体を搬送する記録媒体受付装置と搬送方法に関する。
【背景技術】
【０００２】
近年になり、現金自動預け払い機（ＡＴＭ）や現金支払機（ＣＤ）の普及が拡大し、いわゆる無人店舗等においてもこれら機器が設置されている。ＡＴＭやＣＤの取扱に際しては、通常、キャッシュカードやクレジットカードが用いられる。これらカードには現金支払い・預け入れに必要な情報（顧客情報）が記録されており、その記録情報は、ＡＴＭやＣＤが内蔵する情報読み取り機器にて読み取られて現金支払い・預け入れに用いられている。カードへの顧客情報の記録形態としては、磁気ストライプへのデータ記録、集積回路（ＩＣ）へのデータ記録などがある。
【０００３】
このようにＡＴＭ・ＣＤでのカード使用が増えるにしたがって、カードに記録済みの顧客情報を不正に入手するスキミングと称される犯罪の発生が国内外において危惧されつつある。このスキミングは、不正に入手した顧客情報を偽造カードに記録させ、その偽造カードにて顧客口座から現金を引き出す等の犯罪行為であることから、その対策が要望されるに到った。なお、スキミングの一例を上げると、まず、ＡＴＭのカード挿入口近くに磁気情報を非正規に（不正に）読み取る装置（以下、スキミング装置）を取り付ける。この際、スキミング装置をＡＴＭに取り付けても違和感が無いように、装置外観をＡＴＭ外観にマッチするようにすることも行われているため、顧客（ユーザー）は、スキミング装置が取り付けてあることに気づかず、自分のカードをカード挿入口に挿入する。このカード挿入の過程において、スキミング装置は、カードに記録済みの情報、例えば磁気ストライプの磁気情報を不正に読み取るのである。
【０００４】
こうした経緯から、種々のスキミング対策が提案されている。例えば、カード挿入口内部にスキミング装置が取り付けられたことを目視で確認しやすいようにする対策（特許文献１）や、カード挿入口にスキミング装置を取り付けられたことをセンサで検知する対策（特許文献２）、カード挿入時にカード搬送モータ回転を不均一にしてスキミング装置で磁気情報を読み取り難くする対策（特許文献３）、スキミング装置に妨害磁界を与えることによりスキミング装置での磁気情報の読み取り不可とする提案（特許文献４）等がある。
【０００５】
【特許文献１】特開２００４−９４４８２号公報
【特許文献２】特開２００１−６７５２５号公報
【特許文献３】特開２００４−１７１２０５号公報
【特許文献４】特開２００５−２６６９９９号公報
【０００６】
上記した各対策には、装着されたスキミング装置の認知、或いは装着されたスキミング装置による情報読み取りの阻害を前提としていることから、これら対策への対抗策がスキミング装置の側で取られた場合には、その実効性が低下してしまう。なお、磁気ストライプの磁気データ（情報）読み取りを例に挙げたが、カードに装着したＩＣチップに記録した情報についても同様である。
【発明の開示】
【発明が解決しようとする課題】
【０００７】
本発明は、カード等で代表される種々の記録媒体を取り扱う際の上記した問題点を解決するためになされ、記録媒体に記録した情報の漏洩回避の実効性を高めることをその目的とする。
【課題を解決するための手段】
【０００８】
上記した目的の少なくとも一部を達成するために、本発明の記録媒体受付装置では、情報を記録した記録媒体の挿入を受け付け、前記記録媒体の前記情報を読み取る正規の情報読み取り機器に前記記録媒体を搬送するに当たり、挿入孔が形成された挿入孔形成壁に対する相対的な位置関係を変更するよう駆動する位置偏位駆動体を、制御手段により駆動制御する。前記制御手段による制御を受けて前記位置関係を変更した前記位置偏位駆動体は、前記挿入孔への前記記録媒体の挿入側の領域であって前記挿入孔の周囲における前記挿入孔形成壁の前方領域への入り込みを起こす。
【０００９】
ところで、この挿入孔の周囲における挿入孔形成壁の前方領域は、正規の情報読み取り機器とは異なる異物の装着予想箇所、例えば、前記記録媒体の記録を前記挿入孔への前記記録媒体の挿入の過程において読み取ることを意図した非正規の情報読み取り機器の装着予想箇所となり得る。よって、上記構成を有する本発明の記録媒体受付装置によれば、挿入孔形成壁の前方領域への位置偏位駆動体の入り込みにより、非正規の情報読み取り機器（異物）の装着自体を阻害できるので、記録媒体に記録した情報の不用意な漏洩を抑制できる。
【００１０】
この場合、前記前方領域へ入り込む前記位置偏位駆動体は、この入り込みにより、非正規の情報読み取り機器の装着が予想される前記挿入孔形成壁の前面の装着予想箇所の形状変化を起こしたり、前記非正規の情報読み取り機器との干渉を起こすようにできる。こうすれば、非正規の情報読み取り機器の装着阻害の実効性を高めることができると共に、記録媒体に記録した情報の漏洩回避の実効性をより確実に高めることができる。なお、非正規の情報読み取り機器との干渉が起きれば、当該機器を装着箇所から脱落させることも可能となる。
【００１１】
上記の本発明の記録媒体受付装置において、前記位置偏位駆動体の前記位置関係の変更の動作状況を検知し、前記位置関係の変更の動作が正常に完了しない場合は、前記正規の情報読み取り機器への前記記録媒体の搬送を停止するようにすることもできる。位置偏位駆動体の位置関係の変更動作が正常に完了しない場合は、位置偏位駆動体自体の単純な動作異常や、変更動作を行う位置偏位駆動体と非正規の情報読み取り機器との干渉による動作異常が予想されることから、位置偏位駆動体の動作異常を起こしたままで記録媒体搬送を停止できる。なお、このような事態が起きた場合には、位置偏位駆動体の動作異常の旨の報知を行うようにしたり、保安要員への通報を行うようにすることもできる。
【００１２】
また、前記挿入孔形成壁の前面に立つユーザーの有無を検出するユーザー検出手段を備えるようにした上で、前記ユーザー検出手段によるユーザー検出があると、前記挿入孔への前記記録媒体の挿入開始が予想されるとして前記駆位置偏位駆動体を駆動制御するようにできる。こうすれば、挿入孔への記録媒体の速やかな挿入が可能となり、取引の利便性が高まる。しかも、挿入孔形成壁の前面に立つユーザーの目の前で位置偏位駆動体が駆動することから、位置偏位駆動体とその周囲の状況へのユーザーの注意を喚起できる。よって、仮に非正規の情報読み取り機器が装着されていたとすれば、ユーザーの視認による非正規の情報読み取り機器装着検知、若しくはユーザーの目の前での、位置偏位駆動体の位置関係変更による既述した非正規の情報読み取り機器の脱落を起こすことも可能となる。
【００１３】
また、制御手段による位置偏位駆動体の駆動を、前記ユーザー検出器によるユーザー検出がない間にあっても予め定めたタイミングで繰り返し行うようにすることもできる。こうすれば、挿入孔形成壁の前方領域への位置偏位駆動体の入り込みの実行頻度が高まることから、非正規の情報読み取り機器の装着阻害の実効性がより高まる。位置偏位駆動体の駆動タイミングとしては、例えば１時間或いは所定時間おきのタイミングを例示できる他、非正規の情報読み取り機器装着がなされると予想される時間帯（例えば、夜間）にあっては、５〜１５分おきのタイミングとしたりできる。こうすれば、位置偏位駆動体が停止している時間間隔が短くなるので、非正規の情報読み取り機器装着も困難となり、好ましい。
【００１４】
また、前記挿入孔から挿入された前記記録媒体を噛み込んで回転し、該噛み込んだ記録媒体を前記正規の情報読み取り機器の側に搬送する搬送ローラを備えるようにした上で、前記位置変位駆動体を、前記挿入孔への前記記録媒体の挿入を阻害する第１姿勢から前記挿入孔を露呈させる第２姿勢に推移するよう移動するシャッタとし、該シャッタが前記第２姿勢にあるときにおける前記シャッタの前面から前記搬送ローラにおける前記記録媒体の噛み込み位置までの距離を、ユーザーが前記記録媒体を媒体上下方向から指で摘んで前記記録媒体を前記挿入孔に挿入する際の摘み代に相当する長さを前記記録媒体における挿入方向に沿った媒体長さから控えた距離とすることもできる。
【００１５】
挿入孔形成壁の前面側に非正規の情報読み取り機器がなければ、ユーザーが記録媒体の上下面を指で摘んで記録媒体を挿入孔に挿入することで、記録媒体は搬送ローラに噛み込まれ、正規の情報読み取り機器の側に搬送される。しかしながら、非正規の情報読み取り機器がシャッタを避けて挿入孔形成壁の前面側に設置されていると仮定すると、ユーザーは、記録媒体の上下面を摘んだ指が非正規の情報読み取り機器に届くまでしか記録媒体を挿入孔に挿入できないので、非正規の情報読み取り機器が占める長さ分だけ挿入孔からの記録媒体の挿入長さは短くなり、記録媒体はユーザーに摘まれたままで搬送ローラには噛み込まれない。このため、記録媒体での記録が挿入方向に沿った媒体記録媒体全長に亘る記録箇所への記録である場合には、非正規の情報読み取り機器での情報の読み取り可能範囲を媒体記録媒体全長に亘る記録箇所の一部分に限定できるので、記録媒体の記録内容総ての読み取りができないようにできる。記録内容の総てが揃って始めて有効な情報となるので、上記態様によれば、読み取り範囲を制限することで、記録媒体に記録した情報漏洩の抑制を図ることができる。
【００１６】
この場合、前記摘み代を最大で前記媒体長さの１／４と規定し、前記シャッタを、前記噛み込み位置からシャッタ前面までの距離が前記媒体長さ以下で前記媒体長さの３／４以上となるよう設置した。このような範囲とすれば、非正規の情報読み取り機器での情報の読み取り可能範囲を確実に制限できるので、情報漏洩抑制の上から好ましい。
【００１７】
そして、上記したようにシャッタと搬送ローラとの関係を定めた上で、前記挿入孔に前記記録媒体が挿入されてから前記搬送ローラが前記記録媒体の搬送のために該記録媒体を噛み込むまでの経過時間を計時し、その経過時間が、前記記録媒体が想定の挿入早さで前記挿入口から挿入されて前記搬送ローラに噛み込まれるまでの経過時間より長いと、前記搬送ローラの駆動を停止すると共に、挿入異常の旨を報知するようにすることもできる。
【００１８】
挿入孔に挿入された記録媒体がユーザーに摘まれたままで搬送ローラに噛み込まれないような挿入不良（異常）が起きる原因としては、挿入孔形成壁の前面側における非正規の情報読み取り機器の装着が考えられる。よって、こうした挿入不良が起きた場合には、ユーザーによるそれ以降の記録媒体挿入停止並びに搬送停止により、非正規の情報読み取り機器による記録媒体全長に亘る記録箇所の情報の読み取りがより確実に回避可能となると共に、非正規の情報読み取り機器装着の可能性の報知を行うことができる。この場合、挿入不良（異常）は非正規の情報読み取り機器の装着によるもの仮定して、装置の保安要員による装置の点検を行うようにすることもできる。
【００１９】
上記した本発明による記録媒体受付は、情報を記録した記録媒体の前記情報を読み取る正規の情報読み取り機器に前記記録媒体を挿入孔から搬送する記録媒体搬送方法にも適用できることは勿論である。そして、記録媒体としては、キャッシュカードやクレジットカードの様なカード類への適用が簡便であるが、挿入孔への挿入がなされる記録媒体であれば、種々の記録媒体についても適用できる。また、ＡＴＭ・ＣＤのような現金を扱う装置の他、キャッシュカード等のカード類の情報読み取りだけを想定した装置についても適用できる。
【発明を実施するための最良の形態】
【００２０】
以下、本発明の実施の形態を実施例に基づいて説明する。図１は本発明の実施例としての現金自動取引装置１００の外観を概略的に示す概略斜視図、図２はこの現金自動取引装置１００の内部構成を概略的に示すブロック図、図３は本実施例の現金自動取引装置１００における要部構成であるシャッタ周辺の構成を概略的に示す説明図である。
【００２１】
現金自動取引装置１００は、金融機関等に設置され、顧客の操作によって現金の入金や出金等の取引を行う自動取引装置であり、図１に示すように、装置前面に立つ顧客に対面する前面パネル１０２と、顧客側に迫り出した操作テーブル１０４とを有する。現金自動取引装置１００は、前面パネル１０２に、通帳取扱機構１１０とシャッタ機構１２０と取扱可否ランプ１４０とを備え、操作テーブル１０４に、硬貨入出金機構１５０と紙幣入出金機構１６０と操作パネル１７０と顧客検知センサ１８０とを備える。この他、現金自動取引装置１００は、前面パネル１０２の内側に、カード取引機構１３０を内蔵し、当該取引機構を、前面パネル１０２に形成されたカード挿入孔１０６と共にシャッタ機構１２０で覆っている。
【００２２】
通帳取扱機構１１０は、通帳挿入孔１１２から顧客が挿入した通帳の受け取り・排出の機能の他、通帳に形成済みの磁気ストライプの記録内容のリード・ライト機能、通帳への印字機能などを果たす。取扱可否ランプ１４０は、現金自動取引装置１００による取引が実行可能な状態にあるとき点灯し、顧客に取引可能・不能を通知する。硬貨入出金機構１５０は、硬貨の入金や出金の入出金機能、現金自動取引装置１００の内部の図示しない硬貨収納部への硬貨搬送機能を担い、現金（硬貨）の管理を行なう。紙幣入出金機構１６０は、紙幣の入金や出金の入出金機能、現金自動取引装置１００の内部の図示しない紙幣収納部への紙幣搬送機能を担い、現金（紙幣）の管理を行なう。顧客検知センサ１８０は現金自動取引装置１００の前に利用者（顧客）が立っているかを検知するセンサであり、そのセンサ結果は、後述の制御部２００に送られ、制御部２００により操作パネル１７０の点灯表示制御や、シャッタ機構１２０における後述のシャッタ１２２の駆動制御に用いられる。操作パネル１７０は、入力キーの画面表示機能、キー入力検知機能を果たし、主に現金自動取引装置１００の顧客が取引を行う際、取引操作の誘導画面を表示したり、顧客による暗証番号等のキー入力を受付ける。カード取引機構１３０は、カード挿入孔１０６から顧客が挿入したカードの受け取り・排出の機能の他、カードに記録済みの情報のリード・ライト機能、カードエンボス部分のイメージの読取り機能などを果たすと共に、カードを用いた取引内容の明細票への印字機能、その明細書の排出機能を果たす。カードへの情報記録は、磁気ストライプへの磁気データ記録、ＩＣチップへのデータ記録があるが、本実施例では、下面に磁気ストライプを有するカードを取扱対象としているので特段の言及がない限り、カード下面の磁気ストライプにおける情報のリード・ライトを行うものとして説明する。
【００２３】
現金自動取引装置１００は、装置内部に制御部２００を備え、図２に示すように、この制御部２００は上記した各機構と接続されている。制御部２００は、論理演算を実行するＣＰＵ、後述するプログラム等を記録するＲＯＭ、データの一時的な読み書きを行うＲＡＭ等を有するコンピュータを用いて構成され、上記した各機器を統括的に制御する。なお、この制御部２００は、シャッタ１２２の開放動作完了を検知するシャッタ開センサ１２７と、シャッタ１２２の閉鎖動作完了を検知するシャッタ閉センサ１２８と、カード挿入孔１０６へのカード挿入の有無を検知するカード挿入センサ１２９とも接続され、これらセンサ出力を後述のカード読み取りプロセス等に用いる。
【００２４】
次に、シャッタ機構１２０とカード取引機構１３０の概略的な構成について、図２を用いて説明する。図示するように、シャッタ機構１２０は、シャッタ１２２とその駆動モータ１２４とモータドライバ１２６とを備え、制御部２００の制御を受けたモータドライバ１２６により駆動モータ１２４を正逆回転させ、カード挿入孔１０６を開放または閉鎖するようシャッタ１２２を駆動させる。カード取引機構１３０は、カード搬送ローラ１３２とその駆動モータ１３４とモータドライバ１３６とを備え、制御部２００の制御を受けたモータドライバ１３６により駆動モータ１３４を正逆回転させ、カード挿入孔１０６から挿入されたカードの排出・払出を行う。また、このカード取引機構１３０は、カード下面の磁気ストライプに記録済みの情報のリード・ライトを行うリード・ライトユニット１３８を、カード挿入孔１０６からカード搬送ローラ１３２を経由する搬送経路下方に備える他、既述したイメージ読み取り機能や明細票への印字・排出の機能実現のため、図示しないイメージセンサや印字排出ユニットを備える。
【００２５】
次に、カード挿入孔１０６に対するシャッタ機構１２０とカード取引機構１３０の関係について、図３を用いて説明する。シャッタ機構１２０のシャッタ１２２は、図における前面パネル１０２の右側、即ち装置内側の図示しないシャッタレールに係合され、当該レールの軌道に沿って、前面パネル１０２のシャッタ孔１０３から前面パネル１０２の前面に出入りして、カード挿入孔１０６を開放・閉鎖する。シャッタ１２２は、図中実線で示した位置にある場合のシャッタ姿勢がシャッタ原姿勢（挿入孔閉鎖姿勢）であり、挿入孔開放時には、図示するように装置内に総て引き込まれた挿入孔開放姿勢となるよう移動する。
【００２６】
このように両姿勢を推移するよう移動することで、シャッタ１２２は、前面パネル１０２に対する相対的な位置関係を変更する。こうしたシャッタ１２２の移動は、制御部２００の制御を受けたシャッタ機構１２０のモータドライバ１２６による駆動モータ１２４の正逆駆動にてなされる。シャッタ１２２はセンサ検知片１２３を有するので、シャッタ開センサ１２７およびシャッタ閉センサ１２８によるこの検知片の検知により、シャッタ１２２が挿入孔閉鎖姿勢にあること、およびシャッタ１２２が挿入孔開放姿勢にあることが検知される。
【００２７】
前面パネル１０２は、カード挿入孔１０６の直下に、顧客側に向かう棚部１０２ａと垂下部１０２ｂを備え、この棚部と垂下部の繋ぎ箇所をシャッタストッパ１０２ｃとする。つまり、シャッタ１２２は、シャッタストッパ１０２ｃに当接することで挿入孔閉鎖姿勢を維持し、この挿入孔閉鎖姿勢に装置内の挿入孔開放姿勢から推移するよう移動することで前面パネル１０２に対する相対的な位置関係を変更し、挿入孔１０６へのカード挿入側領域であってカード挿入孔１０６の周囲における前面パネル１０２の前方領域への入り込みを起こす。つまり、シャッタ１２２は、挿入孔閉鎖姿勢に推移する際、カードＣがカード挿入孔１０６に挿入される場合のカード経路（カード搬送経路）を横切り、シャッタ先端をこのカード搬送経路より下側のシャッタストッパ１０２ｃに当接させる。棚部１０２ａと垂下部１０２ｂの形成の様子については後述する。
【００２８】
カード挿入孔１０６の近傍には、前面パネル１０２の内側にカード挿入センサ１２９が配設されている。このカード挿入センサ１２９は、近接センサとして構成され、カード挿入孔１０６からカードＣが進入してくると、カード挿入ありの旨のセンサ出力を制御部２００に出力する。
【００２９】
カード取引機構１３０は、その有するカード搬送ローラ１３２をカード挿入孔１０６の延長線上に位置するように備え、カード搬送ローラ１３２は、カード挿入孔１０６から挿入されたカードＣをリード・ライトユニット１３８まで搬送する。カード搬送ローラ１３２は、カードＣがローラ間に噛み込まれたことでカード搬送を開始する。そして、リード・ライトユニット１３８の下流側の搬送ローラ１３３と協働して、カード搬送ローラ１３２は、カードＣの磁気ストライプ情報がリード・ライトユニット１３８にて総て読み取られるようカード往復動を行うと共に、カードＣをカード挿入孔１０６から顧客に返却する返却搬送も行う。
【００３０】
ここで、カード挿入孔１０６の形成された前面パネル１０２から顧客側に向かう棚部１０２ａと垂下部１０２ｂとカード取引機構１３０のカード搬送ローラ１３２との関係について説明する。図３に示すように、通常、顧客は、カードＣの挿入に際して自身の指でカードＣをカード上下方向から摘む。顧客は、カードＣをこのように指で摘んだまま、カード挿入孔１０６に挿入する。本実施例では、カードＣの顧客のカード摘み代を、最大でも、カードＣの挿入方向に沿った全長ＣＬの１／４の長さに設定した。そして、このように摘まれたカードＣがカード挿入孔１０６から挿入されれば、カード取引機構１３０のカード搬送ローラ１３２による上記したカード搬送が開始される、カード搬送ローラ１３２の位置を次のように規定した。
【００３１】
図４はカードを摘んだ顧客によるカード挿入の様子を示す説明図である。この図４にも示すように、上記の摘み代でカードを摘んだ顧客がカードＣをカード挿入孔１０６に挿入する場合、カード挿入孔１０６からのカード挿入長さは、顧客の指が垂下部１０２ｂの手前に達したときが最長となり、その長さは、上記の摘み代をカード全長ＣＬから控えた長さ、即ちカード全長ＣＬの３／４となる。よって、顧客の指がカード挿入に際して干渉する垂下部１０２ｂの前面とカード取引機構１３０におけるカード搬送ローラ１３２のカード噛み込み位置との隔たりＲＤがカードＣの挿入方向に沿った全長ＣＬの３／４となるよう、カード搬送ローラ１３２、詳しくはカード取引機構１３０を現金自動取引装置１００に内蔵設置した。このようにカード搬送ローラ１３２の位置を規定した理由については後述する。棚部１０２ａについては、カード挿入孔１０６の下端周縁との間隔を数ｍｍ程度となるようにしたので、棚部１０２ａの上面に何らかの異物が載置されればカード挿入孔１０６へのカード挿入が不能となるようにした。つまり、棚部１０２ａの上面への異物載置の余地をなくすようにした。
【００３２】
次に、顧客がカードＣを用いて本実施例の現金自動取引装置１００にて行う現金取引の際のカード読み取りプロセスについて説明する。図５は現金自動取引装置１００の制御部２００が行うカード読み取りプロセスの前半部分を示すフローチャート、図６はカード読み取りプロセスの後半部分を示すフローチャート、図７はカード取引処理におけるシャッタ１２２の挙動を説明する説明図である。
【００３３】
このカード読み取りプロセスは、取扱可否ランプ１４０にて現金自動取引装置１００の取扱ができるとされている間に繰り返し実行され、まず、制御部２００は、顧客検知センサ１８０をスキャンし（ステップＳ１００）、顧客検知の有無を判定する（ステップＳ１１０）。スキャン結果から顧客が現金自動取引装置１００の前面にいないとなれば、それ以降の処理を行うことなく本ルーチンを一旦終了する。一方、センサスキャンの結果、顧客を検知すればシャッタ１２２の開放動作を実行する（ステップＳ１２０）。つまり、制御部２００は、シャッタ１２２を図３に示す挿入孔閉鎖姿勢から前面パネル１０２の側に引き込んだ挿入孔開放姿勢に移動させるべく、シャッタ機構１２０のモータドライバ１２６に制御信号を送出するので、このモータドライバ１２６は、駆動モータ１２４を正転させる。これにより、シャッタ１２２は、図３の挿入孔閉鎖姿勢から図７の挿入孔開放姿勢に推移駆動する。
【００３４】
次いで、制御部２００は、シャッタ開センサ１２７のスキャン（ステップＳ１３０）とそのスキャン結果による開放動作完了の判定（ステップＳ１４０）とを行い、開放動作完了（肯定判定）の場合は、後述のステップＳ１６０に移行する。一方、開放動作未完了（否定判定）の場合は、ステップＳ１５０に移行して、今回の開放動作が３回目か否かを判定する。なお、この開放動作数は、開放動作実行の都度にカウントされ、開放動作の不良・不具合を判定するに十分な回数を３回として、カウント数が３となるとリセットされるようにされている。
【００３５】
ステップＳ１５０にて開放動作回数が３回目未満であると否定判定した場合、制御部２００は、シャッタ１２２を図３の挿入孔閉鎖姿勢の側に一旦駆動させた上で、既述したステップＳ１２０に移行して、シャッタ１２２の開放動作を再開する。そして、ステップＳ１４０による開放動作未完了の判定・その後の開放動作再開が３回繰り返されると、制御部２００は、シャッタ１２２の開放動作に何らかの異常があるとして、エラー報知をし（ステップＳ１５５）、このエラー報知を受けた保安員による異常復旧処置を待機して（ステップＳ１５７）、本ルーチンを一旦終了する。このエラー報知の一例として、操作パネル１７０に、カード取扱ができない旨の表示や、カードを間違って差したまま帰らないように注意喚起をする旨の表示、例えば、「申し訳ございませんがお取扱できなくなりました。カードをお忘れなくお持ち帰りください」等の表示を行うと共に、現金自動取引装置１００の設置店舗の保安員へのエラー発生通知を行う。異常復旧後には、保安員によるシャッタ１２２の挿入孔閉鎖姿勢復旧を経た上で、ステップＳ１００からの処理が行われる。このように、シャッタ１２２の開放動作未完了の場合は、カード挿入孔１０６へのカード挿入もないことと相俟って、制御部２００は、カード搬送ローラ１３２によるカード搬送を行わない。
【００３６】
シャッタ１２２が正常に挿入孔開放姿勢まで移動すれば、カード挿入孔１０６が露出することから、顧客はこのカード挿入孔１０６からカードＣを挿入できるようになる。よって、制御部２００は、カード挿入センサ１２９のスキャン（ステップＳ１６０）とそのスキャン結果によるカード挿入の有無判定（ステップＳ１７０）とを、カード挿入ありと判定するまで行う。なお、ステップＳ１４０にてシャッタ１２２の開放動作が完了してからカード挿入ありとされるまでの経過時間が、通常のカード取引で想定される経過時間に比して長い場合には、顧客はカード取引を止めたと判定して、開放済みのシャッタ１２２を挿入孔閉鎖姿勢に移動させるようにすることもできる。
【００３７】
ステップＳ１７０でのカード挿入ありの肯定判定に続いては、制御部２００は、カード挿入センサ１２９によるカード挿入ありとした時点からの経過時間計時を内蔵するタイマにて開始する（ステップＳ１８０）。そして、その計時期間と所定時間αとを対比しつつカード搬送ローラ１３２におけるカード噛み込みがこの所定時間αの時間内で行われたか否かを判定する（ステップＳ１９０）。そして、ステップＳ１９０で否定判定した場合、即ち、カード挿入孔１０６へのカード挿入がされてから所定時間αを経過してもカード搬送ローラ１３２でのカード噛み込みがない場合には、カード挿入に伴う何らかの異常があるとして、エラー報知をし（ステップＳ２００）、このエラー報知を受けた保安員による異常復旧処置を待機して（ステップＳ２０５）、本ルーチンを一旦終了する。
【００３８】
ここで、ステップＳ１９０における判定について説明する。
既述したようにこのカード読み取りプロセスは、顧客が現金自動取引装置１００の前面に立っていることを契機に開始され（ステップＳ１００〜１１０）、その顧客はカード取引を所望していると云える。こうした顧客は、図３や図４でもってして説明したように、所望するカード取引を実行すべく、カードＣをその上下から指で摘んでカード挿入孔１０６に挿入し、このカード挿入を、カードＣがカード搬送ローラ１３２により噛み込まれてリード・ライトユニット１３８に搬送されるまで当然に継続する。そして、垂下部１０２ｂの前面とカード取引機構１３０におけるカード搬送ローラ１３２のカード噛み込み位置との隔たりＲＤ（図４参照）に基づいたカード搬送ローラ１３２の設置状況から、カード挿入孔１０６の周辺に何の異物も装着されていないのであれば、図４に示すように、上記のカード挿入によりカードＣは当然にカード搬送ローラ１３２に噛み込まれ、搬送されることになる。このような顧客のカード挿入動作は、通常、数秒、例えば５〜１０秒程度で完了する。上記した所定時間αは、顧客のカード挿入動作に要する時間として規定されている。よって、この所定時間αの時間内でのカード搬送ローラ１３２での噛み込みがない場合、カードＣは、通常ならカード噛み込みが起きているはずの所定時間αより長い時間が経過しているにも拘わらず、カード先端がカード搬送ローラ１３２に達していないことになる。
【００３９】
カード挿入孔１０６に挿入されたカードＣが顧客に摘まれたままでカード搬送ローラ１３２に噛み込まれない挿入不良（異常）が起きる原因としては、次のことが想定される。図８はカード挿入孔１０６に挿入されたカードＣが顧客に摘まれたままでカード搬送ローラ１３２に噛み込まれない挿入不良（異常）の一因を説明するための説明図である。この図８に示すように、カード挿入孔１０６の周囲における前面パネル１０２の前方領域Ｘは、何らかの異物Ｓ、例えばカード記録情報をカード挿入の仮定おいて不正に読み取ることを意図したスキミング装置の装着箇所となり得る。本実施例の現金自動取引装置１００では、その取扱対象のカードＣがカード裏面に磁気ストライプを有するカードであることから、垂下部１０２ｂの前面が異物Ｓの装着箇所となり易い。しかも、磁気ストライプの磁気情報を読み取る都合上、スキミング装置を装着させる場合には、カード挿入孔１０６に挿入されるカードＣの裏面の磁気ストライプに接触若しくはカード裏面のごく近傍にスキミング箇所が来るように装着せざるを得ず、垂下部１０２ｂの前面の上方側が異物Ｓの装着箇所となり易い。
【００４０】
仮に、この図８に示すように異物Ｓが垂下部１０２ｂの前面に装着されていると仮定すると、カード挿入を行おうとする顧客は、カードを上下で摘んだ指が異物Ｓに届くまでしか、カードＣをカード挿入孔１０６から挿入できない。よって、異物Ｓがカード挿入方向に沿って占める長さＳＬの分だけカード挿入孔１０６からカード搬送ローラ１３２の側へのカードＣの挿入長さは短くなり、カードＣは、顧客に指で摘まれたままでカード先端がカード搬送ローラ１３２に達しないことになる。このため、異物装着が仮にあった場合には、カード挿入孔１０６へのカード挿入後の上記の経過時間は所定時間αより長くなる。つまり、垂下部１０２ｂに異物Ｓが装着されたことで起きるカードＣの挿入状況と、ステップＳ１９０にて下した否定判定でのカードＣの挿入状況とは一致することから、ステップＳ１９０にて垂下部１０２ｂへの異物Ｓの装着の有無が判定できると云える。
【００４１】
こうしたことから、ステップＳ１９０で否定判定した場合には、制御部２００は、既述したようにカード挿入に伴うエラー報知（ステップＳ２００）と、異常復旧処置待機（ステップＳ２０５）に移行する。この際のエラー報知にあっても、既述したように「申し訳ございませんがお取扱できなくなりました。カードをお忘れなくお持ち帰りください」等の表示を操作パネル１７０にて行うと共に、現金自動取引装置１００の設置店舗の保安員へのエラー発生通知を行う。異常復旧後には、保安員による異物Ｓ除去並びにシャッタ１２２の挿入孔閉鎖姿勢復旧を経た上で、ステップＳ１００からの処理が行われる。このように、カード挿入時間超過の場合は、異物Ｓ装着が予想されることと相俟って、制御部２００は、カード搬送ローラ１３２によるカード搬送を行わない。
【００４２】
ここで、上記した異物Ｓがスキミング装置であった場合の当該スキミング装置における情報読み取りについて説明する。図８に示すように、顧客は、カードを上下で摘んだ指が異物Ｓ（スキミング装置）に届くまでカードＣを挿入するので、その挿入の間においては、スキミング装置による不正なカード情報の読み取りが行われる、とも云える。しかしながら、顧客が指で摘んでいる範囲（カード全長の１／４の範囲）のカード裏面の磁気ストライプは、スキミング装置による読み取り箇所には達することはないので、スキミング装置での不正な情報読み取りの読み取り範囲は制限されることになる。通常、カード裏面の磁気ストライプへ情報記録は、カード全長に亘って行われ、カード全長に亘る情報が総て揃って始めて有効な情報（顧客情報）となる。よって、上記したようにスキミング装置での読み取り範囲を制限することは、カードＣの全長に亘る磁気ストライプに記録した情報の漏洩抑制に有益となる。
【００４３】
所定時間αの時間内でのカードＣの噛み込みが行われれば（ステップＳ１９０の肯定判定）、制御部２００は、カード搬送を行う（ステップＳ２１０）。つまり、制御部２００は、カード取引機構１３０のモータドライバ１３６にカード搬送の制御信号を送出するので、このモータドライバ１３６は、駆動モータ１３４を正転させる。これにより、カードＣは、リード・ライトユニット１３８に向けて搬送されるので、リード・ライトユニット１３８は、カードＣ下面の磁気ストライプに記録済みの情報のリード・ライトを行う。この際、モータドライバ１３６は、搬送ローラ１３３についても回転駆動させ、カードＣがその全長に亘ってリード・ライトユニット１３８の通過するようにする。
【００４４】
次に、制御部２００は、リード・ライトユニット１３８のカード情報の読み取り状況を入力し、磁気情報の読み取り可否を判定する（ステップＳ２２０）。ここで、読み取り不可と否定判定すれば、後述のカード返却処理（ステップＳ２４０）に移行し、読み取り可能であれば、操作パネル１７０にて顧客が操作した取引内容に即したカード取引処理（例えば、紙幣払出、硬貨・紙幣の払出、明細票印刷等）を行う（ステップＳ２３０）。次いで、制御部２００は、カード返却処理を行う（ステップＳ２４０）。つまり、制御部２００は、カード取引機構１３０のモータドライバ１３６にカード返却の制御信号を送出するので、このモータドライバ１３６は、駆動モータ１３４を逆転させる。これにより、それまでのカード搬送によりリード・ライトユニット１３８を越えて搬送済みのカードＣは、カード挿入孔１０６に向けて搬送され、顧客に返却される。この際、モータドライバ１３６は、カード搬送ローラ１３２と搬送ローラ１３３とを回転駆動させる。
【００４５】
このカード返却処理によりカードＣはカード挿入孔１０６から顧客側に払い出されていることから、顧客によるカード取り出しが可能な状態となる。よって、制御部２００は、カード挿入センサ１２９をスキャンして（ステップＳ２５０）、そのスキャン結果によりカード取出完了の判定（ステップＳ２６０）を行う。ここで、顧客によるカード取り出しがなされていないと、即ちカード挿入センサ１２９のセンサ出力が「カードあり」のままであると、顧客にカード取り出しを促すべく、エラー報知をし（ステップＳ２７０）、ステップＳ２５０に移行する。つまり、このエラー報知を受けた顧客によるカード取り出しを待機することになる。このエラー報知の一例として、操作パネル１７０に、カードを間違って差したまま帰らないように注意喚起をする旨の表示、例えば、「カードをお忘れなくお持ち帰りください」等の表示を行う。
【００４６】
顧客によるカード取り出しが行われると、制御部２００は、シャッタ１２２の閉鎖動作を実行する（ステップＳ２８０）。つまり、制御部２００は、シャッタ１２２を図７に示す挿入孔開放姿勢から図３の挿入孔閉鎖姿勢に移動させるべく、シャッタ機構１２０のモータドライバ１２６に制御信号を送出するので、このモータドライバ１２６は、駆動モータ１２４を逆転させる。これにより、シャッタ１２２は、図７の挿入孔開放姿勢から図３の挿入孔閉鎖姿勢に推移駆動する。
【００４７】
次いで、制御部２００は、シャッタ閉センサ１２８のスキャン（ステップＳ２９０）とそのスキャン結果による閉鎖動作完了の判定（ステップＳ３００）とを行い、閉鎖動作完了（肯定判定）の場合は、本ルーチンを一旦終了する。一方、閉鎖動作未完了（否定判定）の場合は、ステップＳ３１０に移行して、今回の閉鎖動作が３回目か否かを判定する。なお、この閉鎖動作数は、閉鎖動作実行の都度にカウントされ、閉鎖動作の不良・不具合を判定するに十分な回数を３回として、カウント数が３となるとリセットされるようにされている。
【００４８】
ステップＳ３１０にて閉鎖動作回数が３回目未満であると否定判定した場合、制御部２００は、シャッタ１２２を図７の挿入孔開放姿勢の側に一旦駆動させた上で、既述したステップＳ２８０に移行して、シャッタ１２２の閉鎖動作を再開する。そして、ステップＳ３００による閉鎖動作未完了の判定・その後の閉鎖動作再開が３回繰り返されると、制御部２００は、シャッタ１２２の閉鎖動作に何らかの異常があるとして、エラー報知をし（ステップＳ３２０）、このエラー報知を受けた保安員による異常復旧処置を待機して（ステップＳ３３０）、本ルーチンを一旦終了する。このエラー報知の一例として、操作パネル１７０に、カード取扱ができない旨の表示、例えば、「申し訳ございませんがお取扱できなくなりました。」等の表示を行うと共に、現金自動取引装置１００の設置店舗の保安員へのエラー発生通知を行う。異常復旧後には、保安員によるシャッタ１２２の挿入孔閉鎖姿勢復旧を経た上で、ステップＳ１００からの処理が行われる。
【００４９】
ここで、シャッタ１２２の閉鎖動作が未完了となる現象について説明する。図９はシャッタ１２２の閉鎖動作未了が起きる一因を説明するための説明図である。シャッタ１２２が図３の挿入孔閉鎖姿勢に推移しない現象の原因としては、シャッタ１２２自体の駆動不良、例えばシャッタレールとの係合不良や、モータの回転不良といった機器駆動不良の他、挿入孔閉鎖姿勢に達するよう正常に駆動しているシャッタ１２２の動きを物理的に妨げることが挙げられる。こうしたシャッタ１２２の物理的な妨げは、図９に示すように、カード挿入孔１０６の周囲における前面パネル１０２の前方領域Ｘにおいてシャッタ１２２の移動軌跡と干渉するよう装着された何らかの異物Ｓ、例えばスキミング装置の存在によって起きる。
【００５０】
本実施例の現金自動取引装置１００では、その取扱対象のカードＣがカード裏面に磁気ストライプを有するカードであることから、既述したように垂下部１０２ｂの前面の上方側が異物Ｓの装着箇所となり易い。今、シャッタ１２２が挿入孔開放姿勢にあるときに、図９に示すように異物Ｓが垂下部１０２ｂの前面の上方側に装着されていると仮定する。すると、装着された異物Ｓはシャッタ１２２の移動軌跡と干渉するので、図７の挿入孔開放姿勢から挿入孔閉鎖姿勢となるよう移動しようとするシャッタ１２２は、前方領域Ｘに入り込んで異物Ｓと干渉することから、シャッタ１２２の閉鎖動作が未了となる。このため、ステップＳ３１０でのエラー報知は、異物Ｓ（スキミング装置）の装着がなされている旨のエラー報知となるので、保安員は、このエラー報知により異物装着の有無を調べて、異物装着があれば当該異物の除去、並びにシャッタ１２２の挿入孔閉鎖姿勢復旧を行う。つまり、シャッタ１２２が前面パネル１０２に対する相対的な位置関係を変更するよう挿入孔閉鎖姿勢に向けて移動することで、異物Ｓ（スキミング装置）の装着有無を検知できると共に、このシャッタ１２２と装着済み異物との干渉により、異物Ｓ（スキミング装置）の装着を阻害できると共に、装着済みの異物にあってはこれを脱落させることができる。そして、このように異物装着を阻害（脱落或いは除去）できることから、この異物Ｓが仮にスキミング装置であったとしても、カードＣの記録情報の不用意な漏洩を未然に回避できる。
【００５１】
以上説明したように、本実施例の現金自動取引装置１００では、シャッタ１２２の開放動作・閉鎖動作が未完了であれば、シャッタ自体の動作不良、或いは既述した異物Ｓの装着が起きているとして、エラー報知すると共に、それ以降のカードＣの搬送も行わないようにした。よって、シャッタ１２２の開放動作・閉鎖動作が未完了である場合の速やかな復旧と、カードＣの記録情報の不用意な漏洩が起きないようにできる。
【００５２】
また、本実施例の現金自動取引装置１００では、顧客検知センサ１８０にて顧客が装置前面に立っていることを検知すると、シャッタ１２２を挿入孔開放姿勢に推移させる。よって、顧客は、カード挿入孔１０６に速やかにカードＣの挿入できることになり、取引の利便性が高まる。
【００５３】
既述したように、シャッタ１２２は挿入孔閉鎖姿勢に推移する際に前面パネル１０２の前方領域Ｘに入り込んで、装着済み異物と干渉するので、通常は、異物装着は阻害される。また、カード挿入孔１０６の開放・閉鎖のために移動するシャッタ１２２やその周辺はカード取扱の際に顧客が注視する箇所となるので、シャッタ１２２との干渉を避けた異物装着は、顧客に違和感を想起させ、非現実的であると云える。しかも、次のようにすれば、異物Ｓがシャッタ１２２との干渉を避けて装着された場合についても対処することができる。図１０は異物Ｓがシャッタ１２２との干渉を避けて装着された場合の説明図である。
【００５４】
図１０に示すように、シャッタ１２２は垂下部１０２ｂに装着された異物Ｓ（スキミング装置）と干渉しないものの、このように異物Ｓを装着する場合には、異物Ｓがカード挿入方向に沿って占める長さＳＬは、シャッタ１２２と干渉する場合よりも長くなる。よって、図８で説明した場合と同様、カードＣはカード搬送ローラ１３２に噛み込まれないままとなるので、ステップＳ１７０〜２０５の処理により、こうした異物装着にあってもエラー報知、その後の復旧（異物除去）が可能であり、実害は生じない。
【００５５】
本実施例の現金自動取引装置１００では、図５〜図６に示したカード読み取りプロセスにおけるステップＳ１２０以降の処理を、顧客が装置前面に立った場合において実行するようにしたが、次のようにすることもできる。つまり、ステップＳ１２０への以降タイミングである顧客検知タイミングを、１時間おきの定間隔タイミングや、１２時、１３時等の定時タイミングとする。具体的には、ステップＳ１２０〜３３０までの処理のうち、カード搬送・読み取りに関連したステップＳ１６０〜２７０までの処理を省略してシャッタ開閉に関連した処理からなるシャッタ開閉プロセスを、１時間おきの定間隔タイミングや定時タイミングで実行する。こうすれば、前面パネル１０２の前方領域Ｘへの入り込みを起こすシャッタ１２２の移動頻度が高まることから、異物装着阻害の実効性がより高まる。また、異物装着がされやすい夜間においては、５〜１５分起きの頻度で、上記シャッタ開閉プロセスを実行するようにすることもできる。こうすれば、シャッタ１２２が停止している時間間隔が短くなるので、異物Ｓの装着もよりし難くでき、好ましい。
【００５６】
次に、他の実施例について説明する。図１１は第２実施例の要部構成であるシャッタ機構１２０Ａのシャッタ周辺の構成を概略的に示す説明図である。この実施例では、シャッタ機構１２０Ａが有するシャッタ１２２ａは、前面パネル１０２に対する相対的な位置関係をパネル前面側において上下に変更する。つまり、シャッタ１２２ａは、図示しない上下のシャッタレールに係合されており、その駆動モータおよびモータドライブにより、カード挿入孔１０６を閉鎖する挿入孔閉鎖姿勢から、カード挿入孔１０６より上方位置の挿入孔上方側開放姿勢と、カード挿入孔１０６より下方位置の挿入孔下方側開放姿勢に推移移動する。そして、シャッタ１２２ａは、上下の挿入孔開放姿勢から挿入孔閉鎖姿勢に推移移動することで、カード挿入孔１０６の周囲における前面パネル１０２の前方領域Ｘに入り込み、カードＣがカード挿入孔１０６に挿入される場合のカード経路（カード搬送経路）に対して上下に移動する。
【００５７】
なお、このシャッタ１２２ａにあっても、シャッタ１２２と同様、位置検出のためのセンサ検知片（図視略）を有し、シャッタ機構１２０Ａは、挿入孔閉鎖姿勢と挿入孔上方側開放姿勢と挿入孔下方側開放姿勢に応じたセンサを備える。よって、これら各姿勢にシャッタ１２２ａがあること、並びに各姿勢にシャッタ１２２ａが推移移動する際のその動作の完了・未完を検知できる。
【００５８】
上記したシャッタ１２２ａを有する第２実施例にあっても、カード挿入孔１０６の周囲における前面パネル１０２の前方領域Ｘへのシャッタ１２２ａの入り込みを起こすので、異物Ｓ（スキミング装置）の装着阻害並びに情報漏洩回避といった既述した実施例と同様の効果を奏することができる。また、この実施例では、異物Ｓの装着が予想されるカード挿入孔１０６周囲の前面パネル１０２の前面形状を、前方領域Ｘへのシャッタ入り込みにより変更する。この点からも、異物Ｓ（スキミング装置）の装着阻害並びに情報漏洩回避の実効性が高まる。そして、この実施例では、挿入孔閉鎖姿勢からその上下の挿入孔開放姿勢までのシャッタ１２２ａの移動距離を長くすることで（例えば、シャッタ交換）、異物装着の阻害範囲を簡単に拡張できる。
【００５９】
また、この第２実施例では、挿入孔閉鎖姿勢と挿入孔上方側開放姿勢との間のシャッタ推移と、挿入孔閉鎖姿勢と挿入孔下方側開放姿勢との間のシャッタ推移を起こす。よって、この第２実施例は、カード下面に磁気ストライプがあるカードＣを取扱対象とする現金自動取引装置１００のみならず、カード上面に磁気ストライプがあるカードＣを取扱対象とする現金自動取引装置１００についても適用できる。この場合、カード下面に磁気ストライプがあるカードＣを取扱対象とする現金自動取引装置１００であれば、シャッタ１２２ａを挿入孔閉鎖姿勢と挿入孔下方側開放姿勢との間のシャッタ推移を起こすようにすればよい。同様に、カード上面に磁気ストライプがあるカードＣを取扱対象とする現金自動取引装置１００であれば、シャッタ１２２ａを挿入孔閉鎖姿勢と挿入孔上方側開放姿勢との間のシャッタ推移を起こすようにすればよい。
【００６０】
更に、上記の第２実施例では、シャッタ１２２ａを前面パネル１０２の前面において既述したように移動させれば良く、シャッタ１２２ａの前面パネル１０２内部への引き込みを要しない。よって、構造の簡略化や小型化が可能となる。
【００６１】
この第２実施例にあっても、カード挿入孔１０６の開放・閉鎖のために移動するシャッタ１２２ａやその周辺はカード取扱の際に顧客が注視する箇所となるので、シャッタ１２２ａとの干渉を避けた異物装着は、顧客に違和感を想起させ、非現実的と云える。しかも、次のようにすれば、異物Ｓがシャッタ１２２ａとの干渉を避けて装着された場合についても対処することができる。図１２は異物Ｓがシャッタ１２２ａとの干渉を避けて前面パネル１０２に装着された場合の説明図、図１３は異物Ｓがシャッタ１２２ａ自体に装着された場合を想定した説明図である。
【００６２】
図示するように、シャッタ１２２ａの前面とカード取引機構１３０におけるカード搬送ローラ１３２のカード噛み込み位置との隔たりＲＤを、カードＣの挿入方向に沿った全長ＣＬの３／４とする。こうすれば、図８でもって説明したように、カード挿入を行おうとする顧客は、カードを上下で摘んだ指が異物Ｓに届くまでしか、カードＣをカード挿入孔１０６から挿入できない。よって、異物Ｓがカード挿入方向に沿って占める長さＳＬの分だけカード挿入孔１０６からカード搬送ローラ１３２の側へのカードＣの挿入長さは短くなり、カードＣは、顧客に指で摘まれたままでカード先端がカード搬送ローラ１３２に達しないことになる。このため、異物装着が前面パネル１０２の前面或いはシャッタ１２２ａ自体に仮にあったとしても、既述したようにカード搬送ローラ１３２でのカード噛み込みが起きないことにより異物装着の有無が判定できるので、磁気ストライプ情報の不用意な漏洩を回避できる。
【００６３】
この場合、異物Ｓが仮にシャッタ１２２ａ自体に装着された場合については、次のようにすることもできる。シャッタ１２２ａは、異物Ｓを装着したまま移動することになるので、その駆動モータに掛かる負荷は、異物装着と共に増大する。よって、シャッタ移動時のモータ負荷を検知し、異物装着に伴うと想定される負荷増大をきたしたら、シャッタ移動の停止、カード搬送の停止、エラー報知等を行うようにする。こうすれば、シャッタ１２２ａ自体への異物装着を、挿入孔閉鎖姿勢から開放姿勢へのシャッタ１２２ａの際に、即ち、カード取引に先立ち検知でき好ましい。
【００６４】
次に、また別の実施例について説明する。図１４は第３実施例の要部構成を概略的に示す斜視図、図１５はカード挿入孔１０６の周辺を断面視して概略的に示す説明図である。この実施例では、カード挿入孔１０６を開放・閉鎖するシャッタに代えてカード挿入孔１０６の周辺における前面パネル１０２の形状を変更する点に特徴がある。図示するように、この実施例では、カード挿入孔１０６の下方側に、スライドテーブル３００を有する。このスライドテーブル３００は、前面パネル１０２の前面といわゆる面一になる原位置から、前面パネル１０２の前面側に進出・後退可能とされている。つまり、スライドテーブル３００は、この原位置から前方に進出することで、前面パネル１０２に対する相対的な位置関係についてはこれをカード搬送経路に沿って変更し、カード挿入孔１０６の周囲における前面パネル１０２の前方領域Ｘへの入り込みを起こす。
【００６５】
この実施例にあっても、既述した実施例と同様の制御部２００を備え、制御部２００は、スライドテーブル３００の進出・後退のタイミング、および上記した原位置からの進出長さを決めた上でスライドテーブル３００を進出・後退駆動させる。例えば、制御部２００は、顧客検知センサ１８０による顧客未検知時には、スライドテーブル３００を前面パネル１０２の前面と面一の原位置に位置させ、顧客検知センサ１８０による顧客検知時に、スライドテーブル３００を原位置から最大進出長さの進出最前端に一旦進出させた後に原位置に復帰させる。こうすれば、仮に異物がカード挿入孔１０６の下方の前面パネル１０２前面に装着されていたとすると、上記のように原位置から進出・復帰するスライドテーブル３００は、この異物に干渉するので、顧客によるカード取扱に先立ち、異物を脱落させることができる。
【００６６】
また、スライドテーブル３００を進出最前端まで進出駆動させたはずが、進出最前端までのテーブル駆動が未了のままであれば、上記した実施例と同様、異物装着が危惧されるとしてのエラー報知や、保安員による異物除去等の対処を図ることができる。そして、この実施例では、スライドテーブル３００の図１５における上下幅を大きくすることで、異物装着の阻害範囲を簡単に拡張できる。更に、磁気ストライプ情報を異物であるスキミング装置で読み込むには、その読み込みヘッドを磁気ストライプに接触若しくは近接しなければならないので、スライドテーブル３００とカード挿入孔１０６の下端側との隔たりを短くすれば、装着済み異物（スキミング装置）との干渉が起きる確度が高まるので、異物装着阻害やその脱落を図る上で好ましい。
【００６７】
また、制御部２００は、顧客検知センサ１８０による顧客検知がなされない期間にあっては、例えば最後の顧客検知から１０〜２０分等の所定時間経過後には、時間経過と共に、原位置からの進出長さが上記した進出最前端での進出長さＴＭの１／４→１／３→１／２→２／３→３／４→１／１というように変化するよう、スライドテーブル３００を進出させることもできる。こうすれば、異物の装着が予想されるカード挿入孔１０６下方の前面パネル１０２前面形状が時間経過と共に変化していくので、異物装着を阻害できる。或いは、仮にスライドテーブル３００の進出長さがＴＭ／４の時に異物が装着されたとすれば、その後の時間経過と共にＴＭ／４から進出するスライドテーブル３００をこの装着済み異物と干渉させることができるので、当該異物の脱落や上記したエラー報知・保安員による異物除去等の対処を図ることができる利点がある。スライドテーブル３００の進出長さを順次変更するのではなく、ランダムな進出長さ（最大でＴＭ）で時間経過と共にスライドテーブル３００を原位置から進出・後退させるようにすることもできる。こうしても、異物装着の阻害、除去等が可能となる。なお、このように前進・後退するスライドテーブル３００にあっても、制御部２００は、スライドテーブル３００の進出位置を、上記した実施例のシャッタ１２２と同様、位置検出のためのセンサ検知片（図視略）とその検知センサとにより把握できるので、制御した進出位置へのスライドテーブル３００の推移移動動作の完了・未完を検知できる。
【００６８】
また、この第３実施例では、カード下面に磁気ストライプを有するカードＣを取扱対象としているので、スライドテーブル３００をカード挿入孔１０６の下方に設けたが、カード上面にカード下面に磁気ストライプを有するカードＣを取扱対象とする場合には、スライドテーブル３００をカード挿入孔１０６の上方側に設ければよい。また、スライドテーブル３００をカード挿入孔１０６の上下に設けるようにでき、こうすれば、磁気ストライプがカード下面にあってもカード上面にあっても対応できる。
【００６９】
この第３実施例にあっても、カード挿入孔１０６や、その直ぐ下方において進出・後退するスライドテーブル３００とその周辺はカード取扱の際に顧客が注視する箇所となるので、スライドテーブル３００との干渉を避けた異物装着は、顧客に違和感を想起させるので、非現実的ではある。しかも、次のようにすれば、異物Ｓがスライドテーブル３００との干渉を避けて装着された場合についても対処することができる。図１６は異物Ｓがスライドテーブル３００との干渉を避けて前面パネル１０２に装着された場合の説明図、図１７は異物Ｓがスライドテーブル３００自体に装着された場合を想定した説明図である。
【００７０】
まず、この実施例では、顧客検知センサ１８０による顧客検知があったカード取扱の当初では、スライドテーブル３００を原位置からその最大進出長さＴＭだけスライドテーブル３００を進出させる。そして、図示するように、最大進出長さＴＭで進出したスライドテーブル３００の前面とカード取引機構におけるカード搬送ローラ１３２のカード噛み込み位置との隔たりＲＤを、カードＣの挿入方向に沿った全長ＣＬの３／４とする。こうすれば、図８や図１２および図１３でもって説明したように、カード挿入を行おうとする顧客は、カードを上下で摘んだ指が異物Ｓに届くまでしか、カードＣをカード挿入孔１０６から挿入できない。よって、異物Ｓがカード挿入方向に沿って占める長さＳＬの分だけカード挿入孔１０６からカード搬送ローラ１３２の側へのカードＣの挿入長さは短くなり、カードＣは、顧客に指で摘まれたままでカード先端がカード搬送ローラ１３２に達しないことになる。このため、異物装着が前面パネル１０２の前面或いはスライドテーブル３００自体に仮にあったとしても、既述したようにカード搬送ローラ１３２でのカード噛み込みが起きないことにより異物装着の有無が判定できるので、磁気ストライプ情報の不用意な漏洩を回避できる。
【００７１】
この場合、異物Ｓが仮にスライドテーブル３００自体に装着された場合については、次のようにすることもできる。スライドテーブル３００は、異物Ｓを装着したまま移動することになるので、その駆動モータに掛かる負荷は、異物装着と共に増大する。よって、シャッタ移動時のモータ負荷を検知し、異物装着に伴うと想定される負荷増大をきたしたら、シャッタ移動の停止、カード搬送の停止、エラー報知等を行うようにする。こうすれば、スライドテーブル３００自体への異物装着を、原位置から最大進出長さＴＭまでのスライドテーブル３００の際に、即ち、カード取引に先立ち検知でき好ましい。
【００７２】
また、上記の実施例ではスライドテーブル３００を進出・後退させるようにしたが、テーブル状のものに限るものではない。図１８は第３実施例の変形例を示す説明図である。この図１８に示すように、カード挿入孔１０６の上下の前面パネル１０２に、パネル全面と面一の位置から進出・後退が可能な複数のシャフト３１０を設置する。そして、それぞれのシャフト３１０を、スライドテーブル３００のように進出・後退するようにしても良い。この場合には、各々のシャフト３１０を総て同時に進出・後退するようにできるほか、任意のシャフト３１０を個別に進出・後退させたり、カード挿入孔１０６に近いシャフト３１０を当初進出させ、その後、カード挿入孔１０６から離れたシャフト３１０を進出させたりもできる。勿論、この逆にカード挿入孔１０６から離れた側のシャフト３１０から進出させるようにすることもできる。
【００７３】
なお、本発明は上記した実施例や変形例の実施形態に限られるものではなく、その要旨を逸脱しない範囲において種々の態様にて実施することが可能である。例えば、上記した実施例およびその変形例では、現金自動取引装置１００にて磁気ストライプ形成済みのカードＣを取り扱う場合について説明したが、カード形状以外の記録媒体を取扱対象とする種々の装置に適用できる。また、現金取引に先立つ記録情報の読み取りだけを行う装置にも適用できる。また、上記した第３実施例とその変形例では、カード挿入孔１０６の周囲の前面パネル１０２の前面を一部範囲においてスライドテーブル３００やシャフト３１０で形状変化を起こすようにしたが、カード挿入孔１０６周囲の広い範囲、例えば、カード取引機構１３０とカード挿入孔１０６とを含むモジュールを現金自動取引装置１００に組み込むことを想定した場合のモジュール前面の全領域においてスライドテーブル３００やシャフト３１０で形状変化を起こすようにすることもできる。また、図１４や図１５で説明したスライドテーブル３００を前面パネル１０２の一構成部品として、当該テーブルにカード挿入孔１０６を形成し、このテーブルをカード挿入孔１０６ごとカード挿入孔１０６周囲の前面パネル１０２の前方領域Ｘに入り込むようにすることもできる。
【図面の簡単な説明】
【００７４】
【図１】本発明の実施例としての現金自動取引装置１００の外観を概略的に示す概略斜視図である。
【図２】この現金自動取引装置１００の内部構成を概略的に示すブロック図である。
【図３】本実施例の現金自動取引装置１００における要部構成であるシャッタ周辺の構成を概略的に示す説明図である。
【図４】カードを摘んだ顧客によるカード挿入の様子を示す説明図である。
【図５】現金自動取引装置１００の制御部２００が行うカード読み取りプロセスの前半部分を示すフローチャートである。
【図６】カード読み取りプロセスの後半部分を示すフローチャートである。
【図７】カード取引処理におけるシャッタ１２２の挙動を説明する説明図である。
【図８】カード挿入孔１０６に挿入されたカードＣが顧客に摘まれたままでカード搬送ローラ１３２に噛み込まれない挿入不良（異常）の一因を説明するための説明図である。
【図９】シャッタ１２２の閉鎖動作未了が起きる一因を説明するための説明図である。
【図１０】異物Ｓがシャッタ１２２との干渉を避けて装着された場合の説明図である。
【図１１】第２実施例の要部構成であるシャッタ機構１２０Ａのシャッタ周辺の構成を概略的に示す説明図である。
【図１２】異物Ｓがシャッタ１２２ａとの干渉を避けて前面パネル１０２に装着された場合の説明図である。
【図１３】異物Ｓがシャッタ１２２ａ自体に装着された場合を想定した説明図である。
【図１４】第３実施例の要部構成を概略的に示す斜視図である。
【図１５】カード挿入孔１０６の周辺を断面視して概略的に示す説明図である。
【図１６】異物Ｓがスライドテーブル３００との干渉を避けて前面パネル１０２に装着された場合の説明図である。
【図１７】異物Ｓがスライドテーブル３００自体に装着された場合を想定した説明図である。
【図１８】第３実施例の変形例を示す説明図である。
【符号の説明】
【００７５】
１００...現金自動取引装置
１０２...前面パネル
１０２ａ...棚部
１０２ｂ...垂下部
１０２ｃ...シャッタストッパ
１０３...シャッタ孔
１０４...操作テーブル
１０６...カード挿入孔
１１０...通帳取扱機構
１１２...通帳挿入孔
１２０...シャッタ機構
１２０Ａ...シャッタ機構
１２２...シャッタ
１２２ａ...シャッタ
１２３...センサ検知片
１２４...駆動モータ
１２６...モータドライバ
１２７...シャッタ開センサ
１２８...シャッタ閉センサ
１２９...カード挿入センサ
１３０...カード取引機構
１３２...カード搬送ローラ
１３３...搬送ローラ
１３４...駆動モータ
１３６...モータドライバ
１３８...リード・ライトユニット
１４０...取扱可否ランプ
１５０...硬貨入出金機構
１６０...紙幣入出金機構
１７０...操作パネル
１８０...顧客検知センサ
２００...制御部
３００...スライドテーブル
３１０...シャフト
Ｃ...カード
Ｓ...異物
Ｘ...前方領域
【図１】
2008191916.tif 000003
【図２】
2008191916.tif 000004
【図３】
2008191916.tif 000005
【図４】
2008191916.tif 000006
【図５】
2008191916.tif 000007
【図６】
2008191916.tif 000008
【図７】
2008191916.tif 000009
【図８】
2008191916.tif 000010
【図９】
2008191916.tif 000011
【図１０】
2008191916.tif 000012
【図１１】
2008191916.tif 000013
【図１２】
2008191916.tif 000014
【図１３】
2008191916.tif 000015
【図１４】
2008191916.tif 000016
【図１５】
2008191916.tif 000017
【図１６】
2008191916.tif 000018
【図１７】
2008191916.tif 000019
【図１８】
2008191916.tif 000020